(57)【特許請求の範囲】
【請求項１】
一様性を有し、連続的に乱数を生成するパラレル乱数発生器を備え、トリガー信号を基点に前記乱数に基づいて生成されるデータを確率生成用のデータとすると共に、当該確率生成用のデータと範囲データを比較し、当たり／外れの確率信号を出力する確率発生装置において、
前記範囲データは、トリガー信号を起点として得た乱数を確率生成位置値とすると共に、当該確率生成位置値より所定の確率幅と確率の増加係数の乗算値を減算して得た確率下限データと、前記確率生成位置値に前記確率幅と前記増加係数の乗算値を加算して得た確率上限データとで指定され、且つ、前記確率の増加係数は、初期値より前記確率信号の連続外れ回数に伴って増加し、当たりの発生時点で初期値に復帰することを特徴とする確率発生装置。
【請求項２】
一様性を有し、連続的に乱数を生成するパラレル乱数発生器を備え、トリガー信号を基点に前記乱数に基づいて生成されるデータを確率生成用のデータとすると共に、当該確率生成用のデータと範囲データを比較し、当たり／外れの確率信号を出力する確率発生装置において、
前記範囲データは、トリガー信号を起点として得た乱数を確率下限値とする確率下限データと、当該確率下限値に所定の確率幅と確率の増加係数の乗算値を加算して得た確率上限データとで指定され、且つ、前記確率の増加係数は、初期値より前記確率信号の連続外れ回数に伴って増加し、当たりの発生時点で初期値に復帰することを特徴とする確率発生装置。
【請求項３】
一様性を有し、連続的に乱数を生成するパラレル乱数発生器を備え、トリガー信号を基点に前記乱数に基づいて生成されるデータを確率生成用のデータとすると共に、当該確率生成用のデータと範囲データを比較し、当たり／外れの確率信号を出力する確率発生装置において、
前記範囲データは、トリガー信号を起点として得た乱数を確率上限値とする確率上限データと、当該確率上限値より所定の確率幅と確率の増加係数の乗算値を減算して得た確率下限データとで指定され、且つ、前記確率の増加係数は、初期値より前記確率信号の連続外れ回数に伴って増加し、当たりの発生時点で初期値に復帰することを特徴とする確率発生装置。
【請求項４】
前記トリガー信号と前記確率信号に基づき、連続外れ回数に伴い所定のパターンで増加する前記確率の増加係数を出力する確率の増加係数生成回路を備えることを特徴とする請求項１から請求項３までの何れかに記載の確率発生装置。
【請求項５】
前記確率の増加係数生成回路は、前記トリガー信号を基点として得た乱数の内容に応じて複数の確率の増加係数パターンの内の一つを選択して出力する機能を有することを特徴とする請求項４に記載の確率発生装置。
【請求項６】
前記確率の増加係数は、スタート時より当たり発生時まで一様な増加率で一次関数的に増加することを特徴とする請求項４または請求項５の何れかに記載の確率発生装置。
【請求項７】
前記確率の増加係数は、スタート時より当たり発生時まで一定間隔毎に一定の増加率で階段状に増加することを特徴とする請求項４または請求項５の何れかに記載の確率発生装置。
【請求項８】
前記確率の増加係数は、スタート時より一定の外れ回数までは初期値に固定され、以降、当たり発生時まで一様な増加率で一次関数的に増加することを特徴とする請求項４または請求項５の何れかに記載の確率発生装置。
【請求項９】
前記確率の増加係数は、スタート時より一定の外れ回数までは初期値に固定され、以降、当たり発生時まで一定した高確率に固定される１ステップ状であることを特徴とする請求項４または請求項５の何れかに記載の確率発生装置。
【請求項１０】
前記確率の増加係数は、スタート時より一定の外れ回数までは初期値に固定され、以降、当たり発生時まで一定間隔毎に一定の増加率で階段状に増加することを特徴とする請求項４または請求項５の何れかに記載の確率発生装置。
【請求項１１】
前記確率の増加係数に代わり確率の増加量を用い、当該確率の増加量と前記確率幅を加算したデータを確率変動用に用いることを特徴とする請求項１から請求項１０までの何れかに記載の確率発生装置。
【請求項１２】
前記トリガー信号が一定期間発生しない場合、前記確率の増加係数、もしくは前記確率の増加量を初期値に復帰することを特徴とする請求項１から請求項１１までの何れかに記載の確率発生装置。
【発明の詳細な説明】
【０００１】
【発明の属する技術分野】
本発明は、一様性を有する乱数発生器を用いた確率発生装置に関し、特に、遊戯機等の用途において、当たりデータの意外性と不正防止機能の強化を図ると共に、遊戯者により一層の期待感や公正な社交性（大損の防止）を提供できる確率発生装置に関するものである。
【０００２】
【従来の技術】
高度な科学技術計算、暗号処理、或いは遊戯機等には乱数の使用が不可欠であり、近年、一様性（乱数の確率値および出現率に差異が生じないこと）を有し、且つ、乱数出現の規則性、前後の相関性、周期性等を有しない高精度な自然乱数発生器を用いた確率発生装置の需要が増大している。
【０００３】
図１６は係る確率発生装置の一般的な概略構成を示しており、一様性を有するｎビット構成の乱数を同期信号（クロック）に同期して連続的に生成するパラレル乱数発生器と、当該乱数をトリガー信号（例えば、遊戯機の場合では、入賞センサによって発生したヒット信号によって発生する抽選信号）のタイミングでセットするレジスターと、当該レジスターのセットデータと確率下限データＤＬと確率上限データＤＵで指定される範囲データを比較し、セットデータがこの範囲内に有れば『当たり』、範囲外であれば『外れ』のHight／Low信号を生成し、確率信号として出力する比較器とで構成されている。
【０００４】
そして、特に、パチンコ、パチスロ、ゲーム等の遊戯機に使用される確率発生装置としては、高精度と共に意外性と不正行為を阻止する優れた不正防止機能を備えていることが必須であるとされている。
【０００５】
【発明が解決しようとする課題】
しかしながら、前記確率発生装置の場合は、図１７のタイミング波形図に示すように、トリガー信号が発生した時（ｔ０）の乱数がそのまま確率生成用のデータとして使用されるため、データ読み出しのタイミングが取り易いこと、確率を生成するための下限データＤＬと確率上限データＤＵが固定されていて常に一定であるためデータの内容が察知され易いこと等の理由から、外部不正が行われ易いという問題を有していた。
【０００６】
また、一般的に遊戯機（例えば、パチンコ）においては、機種間の人気格差は、そのパチンコ台で遊戯を行う際の興味の深さ（ゲーム性の高さ）に大きく影響を受けるものであるが、一方ではギャンブル性の高低にも少なからず影響を受けるという事情がある。このため、近年では、高いゲーム性を維持しながら、且つ、ギャンブル性も高めることにより、集客率の向上を図るようにしている。
【０００７】
ところが、一般的に上記構成の確率発生装置の場合、一定の確率における抽選回数と当たらない確率値の関係を算出すると、表６のように抽選回数の割には当たらない確率が高い傾向を示すことが分かる。表６によれば、例えば、確率１／５００では、１０００回の抽選回数が発生しても全く当たりの無い場合が１３．５％存在していることになる。
因みに、確率値をｐ、抽選回数（連続外れ回数）をｎとすると、上記のような一定確率下における当たらない確率Ｐ０は下式、
Ｐ０＝（１−ｐ）n で算出することができる。
【０００８】
上記傾向は、従来の遊戯機が遊戯者に大損を与える可能性が有ることを示し、これでは公正な社交性を損なうことになり兼ねない。従って、ギャンブル性を高めつつもこのような問題を改善し、遊戯者に期待感と公正な社交性（大損の防止）を提供することが集客率のより一層の向上を図る上で極めて重要な課題となってくる。
【０００９】
本発明は、上記した事情に鑑みて成されたもので、より一層の意外性と優れた不正防止機能を有し、且つ、これらに抽選回数（連続外れ回数）に基づく確率増加の機能を付加することにより、特に遊戯機等の用途に対し、意外性に加え、遊戯者に期待感と公正な社交性（大損の防止）を提供できる確率発生装置を提供することを目的としている。
【００１０】
【課題を解決するための手段】
すなわち、請求項１に記載の本発明は、一様性を有し、連続的に乱数を生成するパラレル乱数発生器を備え、トリガー信号を基点に前記乱数に基づいて生成されるデータを確率生成用のデータとすると共に、当該確率生成用のデータと範囲データを比較し、当たり／外れの確率信号を出力する確率発生装置において、前記範囲データは、トリガー信号を起点として得た乱数を確率生成位置値とすると共に、当該確率生成位置値より所定の確率幅と確率の増加係数の乗算値を減算して得た確率下限データと、前記確率生成位置値に前記確率幅と前記増加係数の乗算値を加算して得た確率上限データとで指定され、且つ、前記確率の増加係数は、初期値より前記確率信号の連続外れ回数に伴って増加し、当たりの発生時点で初期値に復帰することを特徴とする。
【００１１】
また、請求項２に記載の本発明は、一様性を有し、連続的に乱数を生成するパラレル乱数発生器を備え、トリガー信号を基点に前記乱数に基づいて生成されるデータを確率生成用のデータとすると共に、当該確率生成用のデータと範囲データを比較し、当たり／外れの確率信号を出力する確率発生装置において、前記範囲データは、トリガー信号を起点として得た乱数を確率下限値とする確率下限データと、当該確率下限値に所定の確率幅と確率の増加係数の乗算値を加算して得た確率上限データとで指定され、且つ、前記確率の増加係数は、初期値より前記確率信号の連続外れ回数に伴って増加し、当たりの発生時点で初期値に復帰することを特徴とする。
【００１２】
また、請求項３に記載の本発明は、一様性を有し、連続的に乱数を生成するパラレル乱数発生器を備え、トリガー信号を基点に前記乱数に基づいて生成されるデータを確率生成用のデータとすると共に、当該確率生成用のデータと範囲データを比較し、当たり／外れの確率信号を出力する確率発生装置において、前記範囲データは、トリガー信号を起点として得た乱数を確率上限値とする確率上限データと、当該確率上限値より所定の確率幅と確率の増加係数の乗算値を減算して得た確率下限データとで指定され、且つ、前記確率の増加係数は、初期値より前記確率信号の連続外れ回数に伴って増加し、当たりの発生時点で初期値に復帰することを特徴とする。
【００１３】
また、請求項４に記載の本発明は、請求項１から請求項３までの何れかに記載の確率発生装置において、前記トリガー信号と前記確率信号に基づき、連続外れ回数に伴い所定のパターンで増加する前記確率の増加係数を出力する確率の増加係数生成回路を備えることを特徴とする。
【００１４】
また、請求項５に記載の本発明は、請求項４に記載の確率発生装置において、前記確率の増加係数生成回路は、前記トリガー信号を基点として得た乱数の内容に応じ、予め設定された複数の確率の増加係数パターンの内の一つを選択して出力する機能を有することを特徴とする。
【００１５】
また、請求項６に記載の本発明は、請求項４または請求項５の何れかに記載の確率発生装置において、前記確率の増加係数パターンは、スタート時より当たり発生時まで一様な増加率で一次関数的に増加するパターンであることを特徴とする。
【００１６】
また、請求項７に記載の本発明は、請求項４または請求項５の何れかに記載の確率発生装置において、前記確率の増加係数は、スタート時より当たり発生時まで一定間隔毎に一定の増加率で階段状に増加するパターンであることを特徴とする。
【００１７】
また、請求項８に記載の本発明は、請求項４または請求項５の何れかに記載の確率発生装置において、前記確率の増加係数は、スタート時より一定の外れ回数までは初期値に固定され、以降、当たり発生時まで一様な増加率で一次関数的に増加するパターンであることを特徴とする。
【００１８】
また、請求項９に記載の本発明は、請求項４または請求項５の何れかに記載の確率発生装置において、前記確率の増加係数は、スタート時より一定の外れ回数までは初期値に固定され、以降、当たり発生時まで一定した高確率に固定された１ステップ状のパターンであることを特徴とする。
【００１９】
また、請求項１０に記載の本発明は、請求項４または請求項５の何れかに記載の確率発生装置において、前記確率の増加係数は、スタート時より一定の外れ回数までは初期値に固定され、以降、当たり発生時まで一定間隔毎に一定の増加率で階段状に増加するパターンであることを特徴とする。
【００２０】
また、請求項１１に記載の本発明は、請求項１から請求項１０までの何れかに記載の確率発生装置において、前記確率の増加係数に代わり確率の増加量を用い、当該確率の増加量と前記確率幅を加算したデータを確率変動用に用いることを特徴とする。この場合、確率の増加量としては、前記請求項６〜１０に記載のものと同様の傾向を示す増加係数パターンを使用することができる。
【００２１】
さらに、請求項１２に記載の本発明は、請求項１から請求項１１までの何れかに記載の確率発生装置において、前記トリガー信号が一定期間発生しない場合、前記確率の増加係数、もしくは前記確率の増加量を初期値に復帰することを特徴とする。
【００２２】
ここで、請求項１〜請求項１２に記載の構成では、抽選回数（連続ハズレ回数）が多くなるに従って当たらない確率が格段と低くなるため、遊戯者に大損を与える可能性をほぼ無くすことができ、遊戯者に期待感と公正な社交性（大損の防止）を提供することができる。
【００２３】
尚、確率の増加係数または確率の増加量は、当たりが発生した時点で最初の確率変動の１周期が完了し、確率の増加係数または確率の増加量が初期値に復帰して確率幅が初期値に戻る。そして、初期の確率幅にて次ぎの確率の変動周期が開始する。以下、その繰り返しとなる。
特に、請求項１２に記載のように、トリガー信号が一定期間発生しない場合、当たり発生時と同じ動作を行い、確率幅を強制的に初期値に戻すことで、当たりの確率を不正に上げるといった不正行為を確実に阻止することができる。
【００２４】
【発明の実施の形態】
以下、図１〜図１５に基づいて本発明に係る確率発生装置の実施形態を説明する。
【００２５】
図１は本発明に係る確率発生装置１の基本的構成を示しており、一様性を有するｎビット構成の乱数を同期信号（クロック）に同期して連続的に生成するパラレル乱数発生器２を用い、トリガー信号（例えば、遊戯機の場合では、入賞センサによって発生したヒット信号によって発生する抽選信号）が入った時の乱数を確率生成用のデータＲｐとすると共に、任意な時間またはタイミングで確率設定範囲内で自由に変更可能な確率生成位置値Ｒｓを設定し、この確率生成位置値Ｒｓより予め設定された確率幅Ｐｗの１／２を減算器７で減算したデータを確率下限データＤＬとし、確率生成位置値Ｒｓに確率幅Ｐｗの１／２を加算器８で加算したデータを確率上限データＤＵとするものである。尚、上記確率下限データＤＬおよび確率上限データＤＵで指定された範囲データと前記確率生成用データＲｐを比較し、その大小関係より当たり／外れの確率信号を出力する構成は図１６に示した従来構成と同様である。
ここで、図１中の制御回路３は同期信号およびトリガー信号を入力して、前記確率生成用の乱数Ｒｐを第２レジスター５に、また、前記確率生成位置用の乱数Ｒｓを第１レジスター４にセットするタイミングを発生する。
【００２６】
図２は確率設定範囲Ｒａ内における確率幅Ｐｗおよび確率下限値Ｒｌと確率Ｐの関係を示しており、確率生成用のデータが一様性を有していれば、確率設定範囲Ｒａ内において確率設定範囲Ｒａと確率幅Ｐｗが常に一定である限り、図２中の確率生成位置値Ｒｓ-１〜Ｒｓ-２のように確率生成位置値が任意に変化しても得られる確率（Ｐ＝Ｐｗ／Ｒａ）は常に一定となる。
【００２７】
尚、当然の事ながら、確率下限データＤＬと確率上限データＤＵは常に確率設定範囲Ｒａ内に存在するように前記確率生成位置値Ｒｓが設定される必要があるが、確率幅Ｐｗを移動した結果、確率幅Ｐｗが確率設定範囲をはみ出した場合は、図３（ａ）、（ｂ）に示すように、確率幅Ｐｗのはみ出し分Ｐｍを確率設定範囲Ｒａの反対側に移動することにより、確率幅を常に確率設定範囲内に設定することができ、これにより、誤った範囲データによる確率生成不能な状態を無くし、常に正確で信頼性の高い確率信号を出力することができるようになる。
【００２８】
上記構成では、トリガー信号の度に前記確率生成位置値Ｒｓが可変することとなり、これにより範囲データの設定位置が逐次変化し、これに伴って一定の確率を得る確率生成用の乱数データの当たりデータが変動するため、優れた不正防止機能と共に、意外性を有する確率発生装置を実現でき、特に、遊戯機（例えば、パチンコ、パチスロ、ゲーム等）等の確率発生器として理想的な装置となる。
【００２９】
本発明は、遊戯機等において高いゲーム性とギャンブル性を実現するため、上記した意外性と優れた不正防止機能を有する確率発生装置１に後述する各種の確率増加機能を付加し、遊戯者に上記意外性に加え期待感や公正な社交性（大損の防止）を付与するものであり、以下にその実施形態を説明する。
【００３０】
先ず、図４に示す本発明の第１実施形態は、図１に示した確率発生装置１に掛算器９を付加して構成され、この掛算器９により所定の初期確率幅Ｐｗを予め設定された抽選回数の関数に基づく確率の増加係数Ｆｉで変調し、連続外れ回数に応じて増加する新たな確率幅データを生成・出力し、これを確率変動用として使用するものである。
【００３１】
即ち、トリガー信号を起点としたタイミングで第１レジスター４にセットされた乱数を確率生成位置値Ｒｓとし、所定の初期確率幅Ｐｗの１／２と確率の増加係数Ｆｉを前記掛算器９にて乗算した値をこの確率生成位置値Ｒｓより減算器７にて減算して確率下限データＤＬとすると共に、加算器８にて前記掛算器９の乗算出力と確率生成位置値Ｒｓを加算して確率上限データＤＵとした構成である。
【００３２】
確率下限データＤＬと確率上限データＤＵが確率の増加係数Ｆｉに基づいて増加することにより、得られる確率値が増加係数の増加パターンに従って増加して行く。例えば、遊戯機等では、トリガー信号（抽選信号）による連続外れ回数が多くなるに従い、抽選毎の当たりの確率が所定のパターンで増加していく。
【００３３】
図５は確率幅Ｐｗが確率の増加係数（例えば、１＋ｎ／１０００で示される一次係数による増加係数）により初期値（初期確率幅）から一定の増加率で直線的に（即ち、一次関数的に）増加する確率変動を示している。
【００３４】
表１は上記増加係数に基づいて算出した平均確率、初期確率、抽選回数（連続外れ回数）と当たらない確率値を示している。本表１と表６の一定確率下での連続外れ回数と当たらない確率値の関係を比較すると、本発明の場合では連続外れ回数が多くなるに従って当たらない確率が格段と低くなるため、遊戯者に大損を与える可能性をほぼ無くすことができ、意外性に加え、遊戯者に対して期待感と公正な社交性（大損の防止）を与えることができる。これにより、高いゲーム性とギャンブル性を実現することができる。
尚、確率の増加係数は当たりが発生した時点で最初の確率変動の１周期が完了し、確率の増加係数は初期値の１に復帰し、確率幅は初期確率幅となって次ぎの確率変動の１周期が開始され、以下、その繰り返しを継続する。
【００３５】
この場合、上記した確率の増加パターンの傾きは、遊戯者の遊戯時間、遊戯機種、出玉状況等の統計データ等に基づいて適宜好適に設定することができる。
【００３６】
また、上記実施形態では確率設定位置と確率幅を対象とした確率発生装置１について述べたが、以下に示す図６、図７の構成を有する確率発生装置にも勿論適用可能である。
【００３７】
即ち、図６は、トリガー信号を起点としたタイミングで第１レジスター４にセットされた乱数を確率下限値Ｒｌ（即ち、確率下限データＤＬ）とし、所定の初期確率幅Ｐｗと確率の増加係数Ｆｉを掛算器９にて乗算した値とこの確率下限値Ｒｌを加算器８にて加算して確率上限データＤＵとした構成である。
また、図７は、トリガー信号を起点としたタイミングで第１レジスター４にセットされた乱数を確率上限値Ｒｕ（即ち、確率上限データＤＵ）とし、この確率上限値Ｒｕより所定の初期確率幅Ｐｗと確率の増加係数Ｆｉを掛算器９にて乗算した値を減算器７にて減算して確率下限データＤＬとした構成である。
【００３８】
上記何れの構成においても、確率下限データＤＬ、または確率上限データＤＵが連続外れ回数に応じて所定の増加係数パターンに基づいて増加することにより、前記実施形態と同様、遊戯者に意外性に加え、期待感と公正な社交性（大損の防止）を与えることができる。
【００３９】
次に図８に基づいて本発明の第２実施形態を説明する。
本実施形態は、図４に示した確率発生装置１に確率の増加係数生成回路１０を付加して構成されるものである。この確率の増加係数生成回路１０は、トリガー信号（抽選信号）、リセット信号（初期化信号）および確率信号を入力として、連続外れ回数に伴って所定のパターンで増加する確率の増加係数Ｆｉを生成・出力するもので、生成された確率の増加係数Ｆｉが掛算器９に入力され、初期確率幅Ｆｗの１／２と乗算される。
以下、図１１〜図１５にその増加係数パターンの代表例を、表１〜表５に各々の確率増加係数を付加した場合の抽選回数（連続外れ回数）と当たらない確率値の関係を示す。尚、何れの場合も、平均確率は初期確率値と各々の確率の増加係数パターンにより所定の数式に基づいて算出することができる。
【００４０】
ここで、図１１は、図５で示したものと同様で、抽選が開始してから（トリガー信号が発生してから）当たりが発生するまで、予め設定した初期値から一様な増加率で一次関数的に増加して行く増加係数パターンを示し、これに対応する抽選回数と当たらない確率値の関係は表１に示す。
【００４１】
図１２は、抽選が開始してから当たりが発生するまで、一定間隔毎に一定の増加率で階段状に増加して行く増加係数パターンを示し、本例では、連続外れ回数２５０回毎に増加率が変化するように設定されている。これに対応する抽選回数と当たらない確率値の関係は表２に示す。
図１３は、抽選が開始してから一定の外れ回数ｍ（本例では、１１２５回付近に設定されている）までは初期確率値に固定され、それ以降、当たりが発生するまでは一様な増加率で一次関数的に増加して行く増加係数パターンを示し、これに対応する抽選回数と当たらない確率値の関係は表３に示す。
図１４は、抽選が開始してから一定の外れ回数ｍまでは初期確率値に固定され、それ以降、当たりが発生するまでは一定した高確率に固定された１ステップ状の増加係数パターンを示し、これに対応する抽選回数と当たらない確率値の関係は表４に示す。
図１５は、抽選が開始してから一定の外れ回数ｍまでは初期確率値に固定され、それ以降、当たりが発生するまでは一定間隔毎に一定な増加率で階段状に増加して行く増加係数パターンを示し、これに対応する抽選回数と当たらない確率値の関係は表５に示す。
【００４２】
尚、前記図１２〜図１５の各増加係数パターンにおけるステップ毎の増加率や一定外れ回数ｍの値は、遊戯者の遊戯時間、遊戯機種、出玉状況等の統計データ等に基づいて適宜好適に設定することができる。
【００４３】
【表１】
0003855703.tif 000002
【００４４】
【表２】
0003855703.tif 000003
【００４５】
【表３】
0003855703.tif 000004
【００４６】
【表４】
0003855703.tif 000005
【００４７】
【表５】
0003855703.tif 000006
【００４８】
【表６】
0003855703.tif 000007
【００４９】
これら表１〜表６によれば、何れの増加関数を付加しても、表６の一定確率下での抽選に比べて抽選回数が多くなると当たらない確率が格段と低くなり、遊戯者に大損を与える可能性をほぼ無くすことができることが分かる。よって、遊戯者に対して期待感と公正な社交性（大損の防止）を提供することができる。
尚、これら何れの増加関数を付加した場合においても、確率の増加係数は、当たりが発生した時点で最初の確率変動の１周期が完了し、確率の増加係数は初期値の１に復帰し、確率幅は初期確率幅となって次ぎの確率変動の１周期が開始され、以下、その繰り返しが継続されることになる。
【００５０】
また、本実施形態の場合も、確率設定位置値と確率幅を対象とした確率発生装置１だけでなく、第１実施形態と同様、確率下限値と確率幅、或いは確率上限値と確率幅を対象とした確率発生装置１への適用が勿論可能である。
【００５１】
次に、図９に示す第３実施形態は、図８に示した確率発生装置１に第１レジスター１１を付加し、トリガー信号を起点として得た一様性を有する乱数Ｒｉを確率の増加係数生成回路１０に入力する構成を有し、入力した乱数Ｒｉの何れか数ビットの状態により上記した各種確率の増加係数パターンの何れかを選択し、この選択パターンに基づいた確率の増加係数Ｆｉを生成・出力するものである。
ここで、図９中の制御回路３は、同期信号およびトリガー信号を入力して前記確率生成用の乱数Ｒｐを第３レジスター５に、また、前記確率生成位置用の乱数Ｒｓを第２レジスター４に、また、上記した増加係数パターン選択用の乱数Ｒｉを第１レジスター１１にセットするための各種タイミングを発生する。
【００５２】
図１０は、上記した各乱数のセットタイミングを示し、タイミングｔ（０）で増加係数パターン選択用の乱数Ｒｉが、タイミングｔ（１）で確率生成位置用の乱数Ｒｓが、タイミングｔ（２）で確率生成用の乱数Ｒｐが各々対応するレジスターにセットされる。
【００５３】
本構成では、リセット後のトリガー信号を起点として得られた乱数Ｒｉの内容により、全く予期できない増加係数パターンにて確率の変動（増加）が開始される。そして、当たり発生後は、トリガー信号を起点として得た別の乱数Ｒｉに基づいて、全く予期できない新たな確率の増加係数パターンが選択され、その増加係数パターンに基づいて生成された確率の増加係数にて初期確率幅より新たな確率の変動の１周期が実行され、以下、同様の繰り返しが実行されることになる。
【００５４】
尚、本実施形態の場合も、確率設定位置値と確率幅を対象とした確率発生装置１だけでなく、前記第１、第２実施形態と同様、確率下限値と確率幅、或いは確率上限値と確率幅を対象とした確率発生装置１への適用が可能であることは言うまでもない。
【００５５】
以上、説明した第１〜第３実施形態では、確率変動用のデータとして確率の増加係数を用いたが、確率変動用のデータとして確率の増加量を用いても良い、但し、図示しないが、この場合は掛算器９に代わり加算器を付加する必要がある。尚、前記確率の増加量の増加係数パターンとして、図１１〜図１５に示したものと同様の増加傾向を示すものが使用可能である。本構成においても、連続外れ回数が多くなると当たらない確率が格段と低くなり、遊戯者に大損を与える可能性をほぼ無くすことができるため、遊戯者に対して期待感と公正な社交性（大損の防止）を提供できるものである。
【００５６】
また、第１〜第３実施形態において、トリガー信号が一定期間（例えば、２０分間）発生しない場合は、当たり発生の場合と同じように、その確率の変動周期を強制終了し、前記確率の増加係数、もしくは前記確率の増加量を初期値に復帰させて確率幅を強制的に初期確率幅に戻し、新たな確率の変動周期を開始するようにすることも可能である。こうすることにより、当たり確率を不正に上げるといった不正行為を確実に阻止することができる。
【００５７】
【発明の効果】
以上説明したように、本発明によれば、確率生成の際に確率生成用データと比較する範囲データを確率信号の外れ回数に基づく増加係数パターンで増加して行くようにしたので、連続外れ回数が多くなると当たらない確率が格段と低くなるため、遊戯者に大損を与える可能性がほぼ無くなり、遊戯者に対して期待感と公正な社交性（大損の防止）を与えることができることから、高いゲーム性とギャンブル性を実現することができる。
【００５８】
また、本発明によれば、前記確率の増加係数パターンを確率変動の１周期毎に変えるようにしたので、当たり発生毎に全く予期できない新たな確率の変動が得られ、遊戯者は一層の期待感を抱くことになる。
【００５９】
また、本発明によれば、トリガー信号（抽選信号）が一定期間発生しない場合、確率の増加係数または確率の増加量を初期値に復帰するようにしたので、当たり確率を不正に上げるといった不正行為を阻止することができる。
【図面の簡単な説明】
【図１】本発明に係る確率発生装置の基本構成を示す図。
【図２】図１の確率発生装置の確率設定位置と確率幅の関係を示す図。
【図３】確率設定範囲をはみ出した確率幅の移動を示す図。
【図４】本発明の第１実施形態に係る確率発生装置の構成を示す図。
【図５】一次関数による確率増加係数を付加した確率発生装置の確率変動を示す図。
【図６】本発明の第１実施形態に係る確率発生装置の図４とは別の構成を示す図。
【図７】本発明の第１実施形態に係る確率発生装置の図６とは別の構成を示す図。
【図８】本発明の第２実施形態に係る確率発生装置の構成を示す図。
【図９】本発明の第３実施形態に係る確率発生装置の構成を示す図。
【図１０】図９の確率発生装置のタイミング波形図。
【図１１】一次関数の確率増加係数パターンを示す図。
【図１２】階段状関数の確率増加係数パターンを示す図。
【図１３】一定外れ回数後に発生する一次関数の確率増加係数パターンを示す図。
【図１４】一定外れ回数後に発生する１ステップ状の関数の確率増加係数パターンを示す図。
【図１５】一定外れ回数後に発生する階段状の関数の確率増加係数パターンを示す図。
【図１６】一般的な確率発生装置の構成を示す図。
【図１７】図１６の確率発生装置のタイミング波形図。
【符号の説明】
１  確率発生装置
２  パラレル乱数発生器
１０  確率の増加係数生成回路
【図１】
0003855703.tif 000008
【図２】
0003855703.tif 000009
【図３】
0003855703.tif 000010
【図４】
0003855703.tif 000011
【図５】
0003855703.tif 000012
【図６】
0003855703.tif 000013
【図７】
0003855703.tif 000014
【図８】
0003855703.tif 000015
【図９】
0003855703.tif 000016
【図１０】
0003855703.tif 000017
【図１１】
0003855703.tif 000018
【図１２】
0003855703.tif 000019
【図１３】
0003855703.tif 000020
【図１４】
0003855703.tif 000021
【図１５】
0003855703.tif 000022
【図１６】
0003855703.tif 000023
【図１７】
0003855703.tif 000024